(57)【要約】【課題】  スミアと境界ブリーディングを防止し、かつ、高品位な黒文字等の記録可能なインクジェット記録装置およびインクジェット記録方法を提供すること。  【解決手段】  ブラック高デューティマトリクス検出処理Ｅ１０００によって、ブラックドットが比較的高デューティに形成される記録領域を検出し、カラー隣接マトリクス検出処理Ｅ１００４によって、カラードットが形成される記録領域およびそれに隣接する記録領域を検出し、それらの検出情報Ｄ１００１，Ｄ１００９に基づいてカラードットを付与するためのデータを生成する。【選択図】  図１
2005169753.tif 000002
【特許請求の範囲】
【請求項１】
ブラックインクと少なくとも１つのカラーインクを吐出可能な記録ヘッドを用い、前記ブラックインクを吐出させるためのブラックデータと前記カラーインクを吐出させるためのカラーデータに基づいて、被記録媒体上に前記ブラックインクによるブラックドットと前記カラーインクによるカラードットを形成して画像を記録するインクジェット記録装置において、
前記ブラックデータに基づいて、前記ブラックドットが比較的高デューティに形成される第１記録領域を検出する第１検出手段と、
前記カラーデータに基づいて、前記カラードットが形成される記録領域およびそれに隣接する記録領域を第２記録領域として検出する第２検出手段と、
前記第１記録領域に対応する前記ブラックデータに基づいて、前記第１記録領域内に前記カラードットを付与するための第１付与データを生成する第１付与データ生成手段と、
前記第２記録領域に対応する前記ブラックデータに基づいて、前記第２記録領域内に前記カラードットを付与するための第２付与データを生成する第２付与データ生成手段と、
前記カラーデータに、前記第１付与データおよび前記第２付与データを反映させて記録用カラーデータを生成する記録用カラーデータ生成手段と、
前記ブラックデータおよび前記記録用カラーデータに基づいて前記記録ヘッドを制御することにより記録を行う制御手段と、
を備えることを特徴とするインクジェット記録装置。
【請求項２】
前記第１検出手段は、前記ブラックデータに基づいて、Ｌ画素×Ｍ画素（Ｌ，Ｍは１以上の自然数）の単位記録領域内に形成される前記ブラックドットの数をカウントし、そのカウント数が所定数以上の前記単位記録領域を前記第１記録領域とすることを特徴とする請求項１に記載のインクジェット記録装置。
【請求項３】
前記第２検出手段は、前記カラーデータに基づいて、Ｌ画素×Ｍ画素（Ｌ，Ｍは１以上の自然数）の単位記録領域内に形成される前記カラードットの数をカウントし、そのカウント数が所定数以上の前記単位記録領域およびそれに隣接する前記単位記録領域を前記第２記録領域として検出することを特徴とする請求項１または２に記載のインクジェット記録装置。
【請求項４】
前記第１付与データ生成手段は、前記第１記録領域に対応する前記ブラックデータと、カラードット付与用の第１マスクとの論理積をとることによって前記第１付与データを生成し、
前記第２付与データ生成手段は、前記第２記録領域に対応する前記ブラックデータと、カラードット付与用の第２マスクとの論理積をとることによって前記第２付与データを生成する
ことを特徴とする請求項１から３のいずれかに記載のインクジェット記録装置。
【請求項５】
前記カラーインクは異なる色の複数のインクであり、
前記第１マスクおよび前記第２マスクは、前記複数のカラーインクのインク色毎に対応して備える
ことを特徴とする請求項４に記載のインクジェット記録装置。
【請求項６】
前記記録用カラーデータ生成手段は、前記カラーデータと前記第１付与データと前記第２付与データとの論理積をとることによって前記記録用カラーデータを生成することを特徴とする請求項１から５のいずれかに記載のインクジェット記録装置。
【請求項７】
前記カラーインクは、イエロー、マゼンタ、シアンのインクを含むことを特徴とする請求項１から６のいずれかに記載のインクジェット記録装置。
【請求項８】
前記第２検出手段は、前記イエローインクを吐出させるためのイエローデータ、前記マゼンタインクを吐出させるためのマゼンタデータ、および前記シアンインクを吐出させるためのシアンデータに基づいて、前記イエローインク、前記マゼンタインク、および前記シアンインクによってドットが形成される記録領域およびそれに隣接する記録領域を第２記録領域として検出することを特徴とする請求項７に記載のインクジェット記録装置。
【請求項９】
前記ブラックインクは浸透性が比較的低いインクであり、前記カラーインクは浸透性が比較的高いインクであることを特徴とする請求項１から８のいずれかに記載のインクジェット記録装置。
【請求項１０】
前記カラーインクの少なくとも１つは、前記ブラックインクと反応して凝集する反応系インクであることを特徴とする請求項１から９のいずれかに記載のインクジェット記録装置。
【請求項１１】
前記反応系インクはシアンインクであることを特徴とする請求項１０に記載のインクジェット記録装置。
【請求項１２】
前記制御手段は、前記第１記録領域に対応する前記ブラックデータを間引いたデータに基づいて、前記第１記録領域に前記ブラックドットを形成することを特徴とする請求項１から１１のいずれかに記載のインクジェット記録装置。
【請求項１３】
前記制御手段は、前記第２記録領域に対応する前記ブラックデータを間引いたデータに基づいて、前記第２記録領域に前記ブラックドットを形成することを特徴とする請求項１から１１のいずれかに記載のインクジェット記録装置。
【請求項１４】
前記制御手段は、前記ブラックデータとブラックデータ間引きマスクとの論理積をとることによって前記ブラックデータを間引くことを特徴とする請求項１２または１３に記載のインクジェット記録装置。
【請求項１５】
前記記録ヘッドを主走査方向に沿って移動させる移動手段と、
前記記録ヘッドと前記被記録媒体とを前記主走査方向と交差する副走査方向に搬送する搬送手段と、
を備え、
前記記録ヘッドは、前記ブラックインクの吐出部と前記カラーインクの吐出部が前記主走査方向にずれて位置し、
前記制御手段は、前記主走査方向における前記記録ヘッドの移動中に、前記吐出部から前記ブラックインクと前記カラーインクを吐出させる
ことを特徴とする請求項１から１４のいずれかに記載のインクジェット記録装置。
【請求項１６】
前記制御手段は、前記第１検出手段の検出情報に基づいて、前記ブラックインクと前記カラーインクを吐出させるときの前記記録ヘッドの移動方向を規定することを特徴とする請求項１５に記載のインクジェット記録装置。
【請求項１７】
前記制御手段は、前記第２検出手段の検出情報に基づいて、前記ブラックインクと前記カラーインクを吐出させるときの前記記録ヘッドの移動方向を規定することを特徴とする請求項１５に記載のインクジェット記録装置。
【請求項１８】
前記制御手段は、同じ記録領域に対して前記カラードットを形成してから前記ブラックドットを形成するように、前記ブラックインクと前記カラーインクを吐出させるときの前記記録ヘッドの移動方向を規定することを特徴とする請求項１６または１７に記載のインクジェット記録装置。
【請求項１９】
ブラックインクと少なくとも１つのカラーインクを吐出可能な記録ヘッドを用い、前記ブラックインクを吐出させるためのブラックデータと前記カラーインクを吐出させるためのカラーデータに基づいて、被記録媒体上に前記ブラックインクによるブラックドットと前記カラーインクによるカラードットを形成して画像を記録するインクジェット記録方法において、
前記ブラックデータに基づいて、前記ブラックドットが比較的高デューティに形成される第１記録領域を検出し、
前記カラーデータに基づいて、前記カラードットが形成される記録領域およびそれに隣接する記録領域を第２記録領域として検出し、
前記第１記録領域に対応する前記ブラックデータに基づいて、前記第１記録領域内に前記カラードットを付与するための第１付与データを生成し、
前記第２記録領域に対応する前記ブラックデータに基づいて、前記第２記録領域内に前記カラードットを付与するための第２付与データを生成し、
前記カラーデータに、前記第１付与データおよび前記第２付与データを反映させて記録用カラーデータを生成し、
前記ブラックデータおよび前記記録用カラーデータに基づいて前記記録ヘッドを制御することにより記録を行う
ことを特徴とするインクジェット記録方法。
【発明の詳細な説明】
【技術分野】
【０００１】
本発明は、ブラックインクと少なくとも１つのカラーインクを吐出可能な記録ヘッドを用いて記録を行うインクジェット記録装置およびインクジェット記録方法に関するものである。
【背景技術】
【０００２】
従来、各種の被記録媒体に対して記録を行うインクジェット記録装置は、高密度かつ高速な記録動作が可能であることから、各種装置の出力媒体としてのプリンタ、あるいはポータブルプリンタ等として広く応用され、かつ商品化されている。
【０００３】
一般のシリアルスキャンタイプのインクジェット記録装置は、記録手段としての記録ヘッドおよびインクタンクを搭載するキャリッジと、被記録媒体を搬送する搬送手段と、これらを制御するための制御手段と、を備えている。そして、複数の吐出口からインク滴を吐出可能な記録ヘッドを被記録媒体の搬送方向（副走査方向）と直交する方向（主走査方向）にシリアルスキャンさせる動作と、被記録媒体を記録幅に等しい量搬送する動作と、を繰り返す。このような記録方法は、記録信号に基づいて被記録媒体上にインクを吐出して記録を行うものであり、ランニングコストが安く、静かな記録方式として広く用いられている。また近年では、複数色のインクを用い、カラー画像の記録装置に応用した製品も数多く実用化されている。
【０００４】
このようなカラーインクジェット記録装置において用いられるブラックインクは、文字等の記録に多用されることから、記録画像のシャープさ鮮明さおよび高い記録濃度を実現することが要求される。そこで、被記録媒体に対するブラックインクの浸透性を下げて、ブラックインク中の色材が被記録媒体内へ浸透することを抑制する技術が知られている。
【０００５】
一方、ブラックインク以外のカラーインクは、異なる色の２種のインクが隣接して被記録媒体上に付与されたときに、それらのインクの付与部分の境界部にてインク同士が混ざり合って、カラー画像の記録品位を低下させる現象（境界ブリーディング）が発生するおそれがある。これを防ぐために、被記録媒体に対するカラーインクの浸透性を上げて、カラーインク同士が被記録媒体の表面上で混ざり合うことを防止する技術が知られている（例えば、特許文献１）。
【０００６】
しかしながら、このようなブラックインクとカラーインクを用いた場合には、以下のような２つの問題が発生する。
【０００７】
第１に、カラーインクは浸透性が高いため定着時間が早いものの、ブラックインクは浸透性が低いため乾燥定着時間が長くかかる。そのため、被記録媒体としての複数ページの記録用紙に連続的に記録をする場合に、先に記録されたページが排紙された後、そのページの上に、次に記録されたページを重ねて排紙したときに、前のページに付与されたブラックインクが完全に乾いていないため、前のページの記録面と次のページの記録用紙の裏面がすれて汚れてしまうおそれがある。このような記録用紙の記録面と裏面の汚れは、「スミア」と称される。このような問題は、記録速度の向上に伴って顕著に現れる。
【０００８】
第２に、ブラックインクは浸透性が低いため、被記録媒体上のブラックインクとカラーインクの付与部分の境界領域において、にじみ（境界ブリーディング）が発生するおそれがある。これはカラー画像の記録品位を著しく低下させることになる。  
これら２つの問題の解決策として、従来から以下のような対策がとられている。
【０００９】
第１の対策は、加熱定着器等のインクの定着手段を用いる方法である。この方法より、被記録媒体にインクを高速に定着させて、スミアおよび境界ブリーディングを防止することが可能となる。
【００１０】
第２の対策は、被記録媒体としての記録用紙の排紙待ち制御を行う方法である。この方法は、1枚目の記録用紙に画像が記録されてインクが十分に乾燥するまでの間、２枚目の記録用紙に対する記録開始を一時停止、または２枚目の記録用紙に画像を記録した後に、その記録用紙の排紙動作を一時停止するものである。この方法により、スミアの発生を抑えることができる。
【００１１】
第３の対策は、浸透性の高いカラーインクをブラックインクの付与領域に重ねて付与する方法である。カラーインクが付与された紙面上にブラックインクを付与することにより、ブラックインクが紙面に定着しやすくなり、スミアを抑えることができる。さらに、ブラックインクとカラーインクとが反応して凝集するタイプのインクセットを用いることにより、境界ブリーディングを抑えることができる。
【００１２】
【特許文献１】特開昭５５−６５２６９号公報
【発明の開示】
【発明が解決しようとする課題】
【００１３】
しかしながら、上述した対策には次のような不具合があった。
【００１４】
第１の対策の不具合は、定着手段を設けるために、装置の大型化およびコストの増大が避けられないということである。また、シリアルプリンタにおいては、被記録媒体の送り動作が間欠的であるため、それを定着器内に通す際に送りムラが生じてしまうおそれがある。
【００１５】
第２の対策の不具合は、被記録媒体の排紙待ちをするために、スループットが低下することである。
【００１６】
第３の対策の不具合は、カラーインクを重ねて付与することによって、黒画像のシャープネスの劣化、黒文字の記録品位の劣化を招くことである。また、スミア防止に必要なカラーインクの付与量と、境界ブリーディングを防止するのに必要なカラーインクの付与量とが異なる場合に、スミアと境界ブリーディングの抑制を両立させることが困難であった。
【００１７】
本発明は、以上の点に鑑みてなされたものであり、スミアと境界ブリーディングの発生を防止、もしくは低減し、かつ、高品位な黒文字等の記録可能なインクジェット記録装置およびインクジェット記録方法を提供することを目的とする。
【課題を解決するための手段】
【００１８】
本発明のインクジェット記録装置は、ブラックインクと少なくとも１つのカラーインクを吐出可能な記録ヘッドを用い、前記ブラックインクを吐出させるためのブラックデータと前記カラーインクを吐出させるためのカラーデータに基づいて、被記録媒体上に前記ブラックインクによるブラックドットと前記カラーインクによるカラードットを形成して画像を記録するインクジェット記録装置において、前記ブラックデータに基づいて、前記ブラックドットが比較的高デューティに形成される第１記録領域を検出する第１検出手段と、前記カラーデータに基づいて、前記カラードットが形成される記録領域およびそれに隣接する記録領域を第２記録領域として検出する第２検出手段と、前記第１記録領域に対応する前記ブラックデータに基づいて、前記第１記録領域内に前記カラードットを付与するための第１付与データを生成する第１付与データ生成手段と、前記第２記録領域に対応する前記ブラックデータに基づいて、前記第２記録領域内に前記カラードットを付与するための第２付与データを生成する第２付与データ生成手段と、前記カラーデータに、前記第１付与データおよび前記第２付与データを反映させて記録用カラーデータを生成する記録用カラーデータ生成手段と、前記ブラックデータおよび前記記録用カラーデータに基づいて前記記録ヘッドを制御することにより記録を行う制御手段と、を備えることを特徴とする。
【００１９】
本発明のインクジェット記録方法は、ブラックインクと少なくとも１つのカラーインクを吐出可能な記録ヘッドを用い、前記ブラックインクを吐出させるためのブラックデータと前記カラーインクを吐出させるためのカラーデータに基づいて、被記録媒体上に前記ブラックインクによるブラックドットと前記カラーインクによるカラードットを形成して画像を記録するインクジェット記録方法において、前記ブラックデータに基づいて、前記ブラックドットが比較的高デューティに形成される第１記録領域を検出し、前記カラーデータに基づいて、前記カラードットが形成される記録領域およびそれに隣接する記録領域を第２記録領域として検出し、前記第１記録領域に対応する前記ブラックデータに基づいて、前記第１記録領域内に前記カラードットを付与するための第１付与データを生成し、前記第２記録領域に対応する前記ブラックデータに基づいて、前記第２記録領域内に前記カラードットを付与するための第２付与データを生成し、前記カラーデータに、前記第１付与データおよび前記第２付与データを反映させて記録用カラーデータを生成し、前記ブラックデータおよび前記記録用カラーデータに基づいて前記記録ヘッドを制御することにより記録を行うことを特徴とする。  
【発明の効果】
【００２０】
本発明によれば、ブラックドットが比較的高デューティに形成される記録領域と、カラードットが形成される記録領域およびそれに隣接する記録領域に対して、カラードットを付与することにより、スミアと境界ブリーディングの発生を防止、もしくは低減することができる。また、ブラックドットが比較的低デューティに形成される黒文字等の記録領域に対しては、カラードットを付与しないようにして、シャープな黒画像を記録することができる。
【発明を実施するための最良の形態】
【００２１】
以下、図面を参照して本発明の実施形態を説明する。以下の実施形態は、インクジェット記録方式の記録装置に対する適用例である。
[第１の実施形態]
図１２から図１３は、本発明を適用可能なインクジェット記録装置の構成例を説明するための図、図１から図８は、本発明の第１の実施形態を説明するための図である。
【００２２】
（記録装置の構成例）
図１２は、本発明を適用可能なカラーインクジェット記録装置の構成例を示す概略斜視図である。
この図において、２０２は４つのインクカートリッジである。これらは、４色のインク（ブラック（Ｂｋ）、シアン（Ｃ）、マゼンタ（Ｍ）、イエロー（Ｙ））がそれぞれ入れられたインクタンクと、それらのインクを吐出可能な記録ヘッド２０１と、から構成されている。記録ヘッド２０１の構成については後述する。１０３は紙送りローラであり、補助ローラ１０４と共に被記録媒体としての記録用紙１０７を抑えながら図中の矢印方向に回転して、記録用紙１０７の矢印Ｂ方向（副走査方向）への給紙を行う。これらのローラ１０３および１０４と同様に、ローラ１０５も記録用紙１０７を抑える役割を果たしている。１０６はキャリッジであり、４つのインクカートリッジ２０２を搭載して、それらのインクカートリッジ２０２と共に矢印Ａの主走査方向に移動させる。キャリッジ１０６は、記録装置が記録を行っていないとき、あるいは記録ヘッドの回復動作を行うときは、図中点線の位置（ホームポジション）ｈに待機するように制御される。
【００２３】
記録開始前、キャリッジ１０６はホームポジションｈに位置する。そして記録開始命令により、キャリッジ１０６を矢印Ａの主走査方向に移動させながら、記録ヘッド２０１に設けられた記録素子を駆動してインクを吐出させることにより、記録ヘッド２０１の記録幅に対応した記録用紙１０７上の領域に記録を行う。キャリッジ１０６の主走査方向に沿って、記録用紙１０７上の記録領域の端部までの記録走査が終了すると、キャリッジ１０６は元のホームポジションｈに戻り、再び主走査方向への記録走査を行う。前回の記録走査が終了してから、次の記録走査が始まる前に、紙送りローラ１０３が矢印方向へ回転して、必要な幅だけ記録用紙１０７を復走査方向へ紙送りする。このような記録走査と紙送りとを繰り返すことにより、記録用紙１０７上への記録が完成する。記録ヘッド２０１からインクを吐出する記録動作は、記録制御手段（不図示）からの制御に基づいて行われる。
【００２４】
また、記録速度を高めるため、キャリッジ１０６の往方向の走査時のみに記録を行うのではなく、キャリッジ１０６がホームポジションｈ側へ戻る復方向の移動時においても記録を行う構成、つまり双方向記録が可能な構成であってもよい。
【００２５】
また、インクカートリッジ２０２は、記録用のインクを収容するインクタンクと、記録用紙１０７に向けてインクを吐出する記録ヘッド２０１と、が一体になったインクジェットカートリッジを構成するものであってもよい。また、インクタンクと記録ヘッド２０１は、分離可能にキャリッジ１０６に保持されるものであってもよい。さらに、１つの記録ヘッドから複数色のインクの吐出が可能に構成された記録ヘッド２０１を用いてもよい。
【００２６】
また、前述の回復動作を行う位置には、記録ヘッド２０１の前面（インク吐出口の形成面）をキャップするキャッピング手段（不図示）、およびキャッピング手段によるキャップ状態において、記録ヘッド２０１内の増粘インクや気泡を除去する等のヘッド回復動作を行う回復ユニット（不図示）が設けられている。また、キャッピング手段の側方には、クリーニングブレード（不図示）等が記録ヘッド２０１に向けて突出可能に支持されており、そのクリーニングブレードと記録ヘッドの前面との摺接が可能となっている。回復動作後に、クリーニングブレードを記録ヘッドの移動経路中に突出させて、そして記録ヘッドを移動させることにより、その記録ヘッドの移動に伴って、記録ヘッドの前面に付着した不要なインク滴や汚れ等を払拭する。
【００２７】
（記録ヘッドの構成例）
図１３は、記録ヘッド２０１の構成例を説明するための要部斜視図である。
本例の記録ヘッド２０１には、複数の吐出口３００が所定のピッチで形成されており、共通液室３０１と各吐出口３００との間は各液路３０２によって連結されている。各液路３０２の壁面に沿って、インク吐出用のエネルギーを発生するための記録素子３０３が配設されている。本例の記録素子は、熱エネルギーを発生するためのヒータ（電気熱変換体）である。記録素子３０３とその駆動回路は、シリコン上に半導体製造技術を利用して作られている。また、温度センサ（不図示）およびサブヒータ（不図示）も、同一シリコン上に半導体製造プロセスと同様のプロセスによって一括形成される。これらの電気配線が作られたシリコンプレート３０８は、放熱用のアルミベースプレート３０７に接着されている。また、シリコンプレート３０８上の回路接続部３１１とプリント板３０９は超極細ワイヤー３１０によって接続されており、記録装置本体からの信号は信号回路３１２を通して入力する。液路３０２および共通液室３０１は、射出成形されたプラスチックカバー３０６によって形成されている。共通液室３０１は、ジョイントパイプ３０４とインクフィルター３０５を介して、前述したインクタンク（図１２参照）と連結しており、インクタンクからインクが共通液室３０１に供給される。インクタンクから共通液室３０１に供給されて一時的に貯えられたインクは、毛管現象により液路３０２に浸入し、吐出口３００にてメニスカスを形成して、液路３０２内を満たされる。そして、電極（不図示）を介して記録素子３０３としてのヒータが通電されて、それが発熱することにより、その記録素子３０３上のインクが急激に加熱されて液路３０２内に気泡が発生する。この気泡の膨張により、吐出口３００からインク滴３１３が吐出される。
【００２８】
（記録装置における制御系の構成例）
図１４は、記録装置における制御系の構成例を説明するためのブロック図である。
４００は記録信号を入力するインターフェ−ス、４０１はＭＰＵ、４０２はＭＰＵ４０１が実行する制御プログラムを格納するプログラムＲＯＭである。ＭＰＵ４０１は、後述するようなデータの処理を実行する。４０３は、各種データ（記録信号や記録ヘッド２０１に供給される記録データ等）を保存しておくダイナミック型のＲＡＭ（ＤＲＡＭ）であり、記録ドット数や、インクタンクや記録ヘッド２０１の交換回数等も記憶することができる。４０４は、記録ヘッド２０１に対する記録データの供給制御を行うゲートアレイであり、インターフェース４００、ＭＰＵ４０１、およびＤＲＡＭ４０３間のデータの転送制御も行う。４００は、不図示のホストコンピュータ（ホスト装置）に接続される。このホストコンピュータから、記録装置によって記録するための画像データを入力することができる。４０５は、記録ヘッド２０１を搬送するためのキャリアモータ（ＣＲモータ）、４０６は、記録用紙１０７の搬送用駆動源としての搬送モータ（ＬＦモータ）である。４０７および４０８は、それぞれ搬送モータ４０５およびキャリアモータ４０６を駆動するためのモータドライバである。４０９は、記録ヘッド２０１を駆動するためのヘッドドライバである。
【００２９】
（全体のデータ処理）
図１は、後述するブラック高デューティマトリクスの検出処理Ｅ１０００、カラー隣接マトリクスの検出処理Ｅ１００４、カラードット付与データの生成処理Ｅ１，Ｅ２、および記録用データの生成処理Ｅ３の流れを説明するためのブロック図である。
【００３０】
この図１において、オリジナルのＢｋ，Ｃ，Ｍ，およびＹデータＤ１０００，Ｄ１００５，Ｄ１００６およびＤ１００７は、ホストコンピュータなどから入力したカラーの画像データを処理した結果の２値データであり、対応する記録ヘッド２０１からブラック（Ｂｋ），シアン（Ｃ），マゼンタ（Ｍ），およびイエロー（Ｙ）のインクを吐出するか否か、つまりインクのドットを形成するか否かに対応する”１”，”０”のデータである。本例の場合、オリジナルＢｋデータＤ１０００は、そのまま実際の記録に用いられるＢｋデータＤ１０１６となる。以下においては、これらのＢｋデータＤ１０００，Ｄ１０１６をブラックドットデータともいう。オリジナルのＣ，Ｍ，およびＹデータＤ１００５，Ｄ１００６およびＤ１００７は、それぞれ後述する処理が施されることによって、実際の記録に用いられるＣ，Ｍ，およびＹデータＤ１０１３，Ｄ１０１４およびＤ１０１５となる。以下においては、これらのＣ，Ｍ，およびＹデータＤ１００５〜Ｄ１００７，Ｄ１０１３〜Ｄ１０１５をカラードットデータともいう。
【００３１】
この図１については、それぞれの処理内容毎の説明と共に後述する。
（Ａ）カラードット付与対象マトリクスの検出処理
この検出処理は、後述するカラードット（カラーインクのドット）の付与対象となる領域を検出するための処理である。この検出処理には、以下のように、スミアを防止するためにカラードットの付与領域を検出するブラック高デューティマトリクスの検出処理Ｅ１０００（図１参照）と、境界ブリーディングを防止するためにカラードットの付与領域を検出するカラー隣接マトリクスの検出処理Ｅ１００４（図１参照）とがある。
【００３２】
（Ａ−１）ブラック高デューティマトリクスの検出処理Ｅ１０００
図２は、スミアを防止するためにカラードットを付与する領域として、ブラック高デューティマトリクスを検出するブラック高デューティマトリクス検出処理Ｅ１０００を説明するためのフローチャートである。
【００３３】
まず、６４（画素）×３２（画素）のマトリクスに着目し、その着目マトリクス内に形成すべきブラックインクのドット（以下、「ブラックドット」ともいう）の数をカウントする（ステップＳ１０１）。すなわち、オリジナルＢｋデータＤ１０００（図１参照）に基づいて、着目マトリクス内に形成されるブロックドットの数をカウントする。
【００３４】
続いて、ブラックドットのカウント値が７５８以上であるか否か、つまり記録デューティが約３７％（＝７５８／（６４×３２））以上であるか否かを判定する（ステップＳ１０２）。ブラックドット数が７５８以上の場合には、その着目マトリクスに対応するブラック高デューティマトリクス情報（ビット情報）Ｄ１００１（図１参照）を”１”にする（ステップＳ１０３）。ブラックドット数のカウント値が７５８未満の場合には、その着目マトリクスに対応するブラック高デューティマトリクス情報Ｄ１００１を”０”にする（ステップＳ１０４）。続いて、オリジナルＢｋデータＤ１０００（図１参照）における着目マトリクスの位置をシフトさせ（ステップＳ１０５）、全ての着目マトリクスについての処理が終了したか否かを判定する（ステップＳ１０６）。オリジナルＢｋデータＤ１０００における全ての着目マトリクスについての検出処理Ｅ１０００が終了していなければ先のステップＳ１０２に戻り、それが終了すれば検出処理Ｅ１０００を終了する（ステップＳ１０７）。
【００３５】
ブラック高デューティマトリクス情報Ｄ１００１に”１”が設定されたマトリクスに対して、後述するように、カラーインク（Ｃ，Ｍ，Ｙインク）のドット（カラードット）が付与されることになる。また、ブラックドット数の閾値は７５８のみに特定されず、インクの特性や記録装置の特性に合わせて最適な値に設定することができる。
【００３６】
図３（ａ），（ｂ），（ｃ）は、ブラック高デューティマトリクス検出処理Ｅ１０００の具体的な説明図である。
【００３７】
図３（ａ）は、６４×３２の着目マトリクスを表している。黒文字のように、インクが付与されるベタ部と、インクが付与されない空白部とがはっきりとした画像においては、マトリクスサイズを小さくし過ぎると、ラック高デューティマトリクス情報Ｄ１００１の”１”，”０”に応じてカラードットを付与するか否かの応答性が良くなり過ぎる。そのため、小さな文字であってもカラードットが付与されてしまい、文字のシャープさを保つことができなくなるおそれがある。逆に、マトリクスサイズを大きくし過ぎると、カラードットを付与するか否かの応答性が悪くなり、所望のカラードットが付与されなくなって、スミアの発生を招くおそれがある。したがって着目マトリクスは、インクシステムや記録装置の特性に応じて適切なサイズに設定する。
【００３８】
図３（ｂ）は、ＢｋデータＤ１０００（図１参照）の各着目マトリクス内におけるブラックドット数のカウント値の説明図であり、そのカウント値が７５８以上のマトリクス部分には斜線を付している。図３（ｃ）は、ブラック高デューティマトリクス検出処理Ｅ１０００の結果として得られたブラック高デューティマトリクス情報Ｄ１００１の説明図である。前述したように、着目マトリクスの位置を横方向および縦方向にシフトさせながら、ブラックドット数のカウント値が７５８以上の着目マトリクスに対応するビットに”１”をセットし、７５８未満のマトリクスに対応するビットには”０”をセットする。したがって、ブラック高デューティマトリクス情報Ｄ１００１は、図３（ｃ）のようなビットマップ情報となる。
【００３９】
（Ａ−２）カラー隣接マトリクスの検出処理Ｅ１００４
図４は、境界ブリーディング防止用のカラー隣接マトリクス検出処理Ｅ１００４（図１参照）を説明するためのフローチャートである。
【００４０】
まず、６４×３２の着目マトリクス内に形成されるべきカラードット数をカウントする（ステップＳ２０１）。すなわち、図１のように、オリジナルＣデータＤ１００５，オリジナルＭデータＤ１００６，およびオリジナルＹデータＤ１００７に基づいて、着目マトリクス内に形成されるＣ，Ｍ，Ｙインクのドット数を合算する。そして、その着目マトリクス内におけるカラードットの総数が４１０ドット以上であるか否かを判定する（ステップＳ２０２）。着目マトリクスにおけるカラードット数が４１０以上の場合には、その着目マトリクスと、それに隣接する６４×３２の隣接マトリクス（図５（ａ）中の隣接マトリクス１，２，３，４）に対応するカラー隣接マトリクス情報Ｄ１００９（図１参照）のビットを”１”にする（ステップＳ２０３）。着目マトリクスにおけるカラードット数が４１０未満の場合には、その着目マトリクスに対応するカラー隣接マトリクス情報Ｄ１００９のビットを”０”にする（ステップＳ２０４）。続いて、着目マトリクスの位置をシフトさせる（ステップＳ２０５）。そして、全てのマトリクスに対するカラー隣接マトリクス検出処理Ｅ１００４が終了したか否かを判定し（ステップＳ２０６）、それが終了すれば処理を終え（ステップＳ２０７）、それが終了しなければステップＳ２０２に戻って、カラー隣接マトリクス検出処理Ｅ１００４を繰り返す。
【００４１】
カラードット数の閾値は４１０のみに特定されず、インクの特性や記録装置の特性に合わせて最適な値に設定することができる。また、オリジナルＣデータＤ１００５、ＭデータＤ１００６、およびＹデータＤ１００７は、必ずしも２値化されたデータでなくてもよく、結果的に、インクのドットを形成するか否かに対応付けられるデータであればよい。また、着目マトリクス内に形成されるＣ，Ｍ，Ｙインクのドット数を合算する際に、インクの種類毎に、インクの特性などに応じた重み付けをしてもよい。
【００４２】
図５（ａ），（ｂ），（ｃ）は、カラー隣接マトリクス検出処理Ｅ１００４の具体的な説明図である。
【００４３】
図５（ａ）は、６４×３２の着目マトリクスと、それに隣接する４つの隣接マトリクスを表している。本実施形態では、着目マトリクスに隣接する上下左右のマトリクスを隣接マトリクスとしている。これは、着目マトリクスと隣接マトリクスの境界領域においてブラックドットとカラードットが隣接する場合に、境界ブリーディングが生じることを防止するためである。着目マトリクスの対角に位置する４つのマトリクス、つまり着目マトリクスの右上、右下、左上、左下に位置するマトリクスについては、着目マトリクスとの境界領域が点としか存在しないため、それらのマトリクスは、隣接マトリクスとしては扱わない。マトリクスのサイズ、および着目マトリクスに隣接する計８つのマトリクスの内のどれを着目マトリクスとして扱うかは、インクシステムや記録装置の特性に応じて適切に設定する。
【００４４】
図５（ｂ）は、各マトリクス内におけるカラーインク（シアン，マゼンタ，およびイエローインク）のドットの総数の説明図である。その総数が４１０以上のマトリクス部分には斜線を付している。図５（ｃ）は、カラー隣接マトリクス検出処理Ｅ１００４を行った結果として得られたカラー隣接マトリクス情報Ｄ１００９の説明図である。前述したように、着目マトリクスの位置を横方向および縦方向にシフトさせながら、カラードット数のカウント値が４１０以上の着目マトリクスと、その着目マトリクスに隣接する隣接マトリクスに対応するビットに”１”をセットし、４１０未満の着目マトリクスに対応するビットには”０”をセットする。したがって、カラー隣接マトリクス情報Ｄ１００９は、図５（ｃ）のようなビットマップ情報となる。
【００４５】
（Ｂ）カラードット付与データの生成処理
この生成処理は、前述したカラードット付与対象マトリクスの検出処理（Ｅ１０００，Ｅ１００４）によって検出された領域に付与するためのカラードットの付与データを生成する処理である。この生成処理には、以下のように、スミアを防止するために付与するカラードットの付与データを生成するスミア防止用のカラードット付与データ生成処理Ｅ１（図１参照）と、境界ブリーディングを防止するために付与するカラードットの付与データを生成する境界ブリーディング防止用のカラードットデータ生成処理Ｅ２（図１参照）とがある。
【００４６】
（Ｂ−１）スミア防止用のカラードット付与データの生成処理Ｅ１
図６（ａ）〜（ｄ）は、スミア防止用のカラードット付与データの生成処理Ｅ１の説明図である。
本生成処理においては、図６（ａ）のように、ブラック高デューティマトリクス情報Ｄ１００１（図３（ｃ）参照）が”１”にセットされた６４×３２のマトリクス内のＢｋデータＤ１０００に基づいて、シアンインクドットの付与データ（Ｃ付与データ１）Ｄ１００２、マゼンタインクドットの付与データ（Ｍ付与データ１）Ｄ１００３、およびイエローインクドットの付与データ（Ｙ付与データ１）Ｄ１００４を生成する。Ｃ付与データ１（Ｄ１００２）、Ｍ付与データ１（Ｄ１００３）、およびＹ付与データ１（Ｄ１００４）をまとめてカラードット付与データという。
【００４７】
Ｃ付与データ１（Ｄ１００２）は、ブラック高デューティマトリクス情報Ｄ１００１が”１”にセットされたマトリクス（６４×３２）内のＢｋデータＤ１０００と、図６（ｂ）のような８（画素）×８（画素）のサイズのシアン用マスク（Ｃマスク１）との論理積をとることによって生成される（図６（ａ）中のＣマスク１とのＡＮＤ処理Ｅ１００１）。同様に、Ｍ付与データ１（Ｄ１００３）は、ブラック高デューティマトリクス情報Ｄ１００１が”１”にセットされたマトリクス（６４×３２）内のＢｋデータＤ１０００と、図６（ｃ）のような８（画素）×８（画素）のサイズのマゼンタ用マスク（Ｍマスク１）との論理積をとることによって生成される（図６（ａ）中のＭマスク１とのＡＮＤ処理Ｅ１００２）。同様に、Ｙ付与データ１（Ｄ１００４）は、ブラック高デューティマトリクス情報Ｄ１００１が”１”にセットされたマトリクス（６４×３２）内のＢｋデータＤ１０００と、図６（ｄ）のような８（画素）×８（画素）のサイズのイエロー用マスク（Ｙマスク１）との論理積をとることによって生成される（図６（ａ）中のＹマスク１とのＡＮＤ処理Ｅ１００３）。
【００４８】
それらのＣ，Ｍ，Ｙのマスク１が８×８のサイズであるのため、それらを６４×３２サイズのマトリクス内において縦方向と横方向に繰り返し用いるようにして、ＢｋデータＤ１０００との論理積をとる。本例においては、図６（ｂ），（ｃ），（ｄ）のように、Ｃ，Ｍ，Ｙのマスク１のデューティをそれぞれ１８％、６％、５％としている。これらのデューティは、ブラック高デューティマトリクス情報Ｄ１００１が”１”にセットされたマトリクスの記録領域内に対して、スミア防止用のシアンインクドット、マゼンタインクドット、およびイエローインクドットを付与するときの付与量に相当する。それぞれのインクドットの付与量およびマスクのサイズは、インクの特性や記録装置の構成に応じて設定する。また、マスク内のドットは、規則性を持たせて配置してもよく、また疑似的にランダムに配置してもよい。
【００４９】
（Ｂ−２）境界ブリーディング防止用のカラードット付与データの生成処理Ｅ２
図７（ａ）〜（ｄ）は、境界ブリーディング防止用のカラードット付与データの生成処理Ｅ２の説明図である。
【００５０】
本生成処理においては、図７（ａ）のように、カラー隣接マトリクス情報Ｄ１００９（図５（ｃ）参照）が”１”にセットされた６４×３２のマトリクス内のＢｋデータＤ１０００に基づいて、シアンインクドットの付与データ（Ｃ付与データ２）Ｄ１０１０、マゼンタインクドットの付与データ（Ｍ付与データ２）Ｄ１０１１、およびイエローインクドットの付与データ（Ｙ付与データ２）Ｄ１０１２を生成する。Ｃ付与データ２（Ｄ１０１０）、Ｍ付与データ２（Ｄ１０１１）、およびＹ付与データ２（Ｄ１０１３）をまとめてカラードット付与データという。
【００５１】
Ｃ付与データ２（Ｄ１０１０）は、カラー隣接マトリクス情報Ｄ１００９が”１”にセットされたマトリクス（６４×３２）内のＢｋデータＤ１０００と、図７（ｂ）のような８（画素）×８（画素）のサイズのシアン用マスク（Ｃマスク２）との論理積をとることによって生成される（図７（ａ）中のＣマスク２とのＡＮＤ処理Ｅ１００５）。同様に、Ｍ付与データ２（Ｄ１０１１）は、カラー隣接マトリクス情報Ｄ１００９が”１”にセットされたマトリクス（６４×３２）内のＢｋデータＤ１０００と、図７（ｃ）のような８（画素）×８（画素）のサイズのマゼンタ用マスク（Ｍマスク２）との論理積をとることによって生成される（図７（ａ）中のＭマスク２とのＡＮＤ処理Ｅ１００６）。同様に、Ｙ付与データ１（Ｄ１０１２）は、カラー隣接マトリクス情報Ｄ１００９が”１”にセットされたマトリクス（６４×３２）内のＢｋデータＤ１０００と、図７（ｄ）のような８（画素）×８（画素）のサイズのイエロー用マスク（Ｙマスク２）との論理積をとることによって生成される（図７（ａ）中のＹマスク２とのＡＮＤ処理Ｅ１００７）。
【００５２】
それらのＣ，Ｍ，Ｙのマスク２が８×８のサイズであるのため、それらを６４×３２サイズのマトリクス内において縦方向と横方向に繰り返し用いるようにして、ＢｋデータＤ１０００との論理積をとる。本例においては、図７（ｂ），（ｃ），（ｄ）のように、Ｃ，Ｍ，Ｙのマスクのデューティをそれぞれ３０％、５％、５％としている。これらのデューティは、カラー隣接マトリクス情報Ｄ１００９が”１”にセットされたマトリクスの記録領域に対して、境界ブリーディング防止用のシアンインクドット、マゼンタインクドット、およびイエローインクドットを付与するときの付与量に相当する。それぞれのインクドットの付与量およびマスクのサイズは、インクの特性や記録装置の構成に応じて設定する。また、マスク内のドットは、規則性を持たせて配置してもよく、また疑似的にランダムに配置してもよい。
【００５３】
（Ｃ）記録用Ｃ，Ｍ，Ｙデータ（カラーデータ）の生成処理Ｅ３
この生成処理Ｅ３（図１参照）は、オリジナルＣ，Ｍ，Ｙデータ（Ｄ１００５〜Ｄ１００７）に、スミア防止用のカラードットの付与データ１（Ｄ１００２〜Ｄ１００４）と境界ブリーディング防止用のカラードットの付与データ２（Ｄ１０１０〜Ｄ１０１２）を反映させて、記録用Ｃ，Ｍ，Ｙデータ（Ｄ１０１３〜Ｄ１０１５）を生成するための処理である。
【００５４】
図８は、この記録用Ｃ，Ｍ，Ｙデータ生成処理Ｅ３を説明するためのフローチャートである。
図８において、ステップＳ３０１は前述したブラック高デューティマトリクス検出処理（Ｅ１０００）に相当し、ステップＳ３０２は、シアン，マゼンタ，イエローの付与データ１を生成するための前述したスミア防止用のカラードット付与データ生成処理に相当し、ステップＳ３０３は前述したカラー隣接マトリクス検出処理（Ｅ１００４）に相当し、ステップＳ３０４は、シアン，マゼンタ，イエローの付与データ２を生成するための前述した境界ブリーディング防止用のカラードット付与データ生成処理に相当する。記録用Ｃ，Ｍ，Ｙデータ生成処理Ｅ３においては、このような処理（ステップＳ３０１〜Ｓ３０４）の終了後に、図１中のＯＲ処理Ｅ１００８，Ｅ１００９，Ｅ１０１０によって、記録用のＣ，Ｍ，ＹデータＤ１０１３，Ｄ１０１４，Ｄ１０１５を生成する（ステップＳ３０５）。
【００５５】
すなわち、ＯＲ処理Ｅ１００８において、オリジナルのＣデータＤ１００５と、Ｃ付与データ１（Ｄ１００２）と、Ｃ付与データＤ２（Ｄ１０１０）との論理和をとって、記録用ＣデータＤ１０１３を生成する。またＯＲ処理Ｅ１００９においては、オリジナルのＭデータＤ１００６と、Ｍ付与データ１（Ｄ１００３）と、Ｍ付与データＤ２（Ｄ１０１１）との論理和をとって、記録用ＭデータＤ１０１４を生成する。またＯＲ処理Ｅ１０１０においては、オリジナルのＹデータＤ１００７と、Ｙ付与データ１（Ｄ１００４）と、Ｙ付与データＤ２（Ｄ１０１２）との論理和をとって、記録用ＹデータＤ１０１５を生成する。
【００５６】
（記録用Ｃ，Ｍ，Ｙ，Ｂｋデータに基づく記録動作）
記録用Ｃ，Ｍ，Ｙ，ＢｋデータＤ１０１３〜Ｄ１０１６に基づいて、対応する記録ヘッド２０１からＣ，Ｍ，Ｙ，Ｂｋインクを吐出することにより、記録用紙１０７にカラー画像を記録する。
【００５７】
単位記録領域（着目マトリクス）内におけるブラックドット数のカウント値が高い比較的高デューティのブラックデータ（ベタ画像等）の場合には、その記録領域に対して、付与データ１（Ｄ１００２〜Ｄ１００４）に基づいてカラードットを付与することになる。この結果、スミアを防止することができる。一方、比較的低デューティの文字等のブラックデータの場合には、その記録領域に対してカラードットの付与を行わないことになる。そのため、エッジがシャープで高品位な黒文字などを記録することができる。さらに、単位記録領域におけるカラードット数のカウント値が高いカラーデータの記録領域、およびそれに隣接する記録領域（隣接マトリクス）にブラックデータがある場合には、そのブラックデータがある記録領域に対して、付与データ２（Ｄ１０１０〜Ｄ１０１２）に基づいてカラードットを付与することになる。この結果、ブラックドットの付与領域とカラードットの付与領域との間における境界ブリーディングを抑えて、高画質なカラー画像を記録することができる。
【００５８】
[第２の実施形態]
ブラックドットのみで記録された画像に比較して、カラードットを付与したブラック画像は、ブラックドットを間引いても比較的濃度の低下は少ない。一方、スミアや境界ブリーディングは、浸透性の低いブラックドットを間引くことで著しく良化する場合がある。
【００５９】
そこで、本実施形態では、前述した第１の実施形態において検出したブラック高デューティマトリクス（ブラック高デューティマトリクス情報が”１”のマトリクス）、およびカラー隣接マトリクス（カラー隣接マトリクス情報が”１”のマトリクス）内のオリジナルＢｋデータを所定量の間引くことにより、さらにスミアおよび境界ブリーディングを低減させる。
【００６０】
図９（ａ），（ｂ）は、オリジナルＢｋデータＤ１０００の間引き処理の説明図である。  
本例においては、図９（ａ）中のＡＮＤ処理Ｅ４によって、カラー隣接マトリクス情報Ｄ１００９或いはブラック高デューティマトリクス情報Ｄ１００１が”１”であるマトリクス内のＢｋデータＤ１００１と、図９（ｂ）のようなＢｋ間引きマスク（ブラック間引きマスク）との論理積をとって、記録用ＢｋデータＤ１０１６を生成する。本例のＢｋ間引きマスクは８（画素）×８（画素）のサイズであり、６４×３２のＢｋデータＤ１００１に対して横方向と縦方向に繰り返し使用する。本例では、Ｂｋ間引きマスクのサイズを８×８とし、８０％デューティのパターンとしたがインクシステムや記録装置の構成に合わせて最適にすることができる。また、このような間引き処理は、ブラック高デューティマトリクス情報Ｄ１００１およびカラー隣接マトリクス情報Ｄ１００９の一方または両方が”１”のときに実施する。
【００６１】
本実施形態によれば、比較的高デューティのブラックデータ領域およびカラードットが隣接するブラックデータ領域のブラックドットを間引くことにより、スミアおよび境界ブリーディングの抑制効果を向上させることができる。
【００６２】
［第３の実施形態］
本実施形態においては、異なるインクを吐出可能なヘッドチップを主走査方向に並べて構成した記録ヘッドを用いて記録する場合に、ブラック高デューティマトリクス情報Ｄ１００１に基づいて記録方向を規定することにより、スミア防止効果を向上させる。
【００６３】
図１０（ａ）は、記録ヘッド２０１を矢印Ａ１の往路方向に移動させつつ記録する往路記録動作時の説明図、同図（ｂ）は、記録ヘッド２０１を矢印Ａ２の復路方向に移動させつつ記録する復路記録動作時の説明図である。記録ヘッド２０１は、イエロー（Ｙ），マゼンタ（Ｍ），シアン（Ｃ），およびブラック（Ｋ）のインクを吐出可能なヘッドチップ２０１Ｙ，２０１Ｍ，２０１Ｃ，２０１Ｋを主走査方向に並べて構成されている。ヘッドチップ２０１Ｙ，２０１Ｍ，２０１Ｃ，２０１Ｋは、それぞれ個別の記録ヘッドを構成するものであってもよく、この場合には、それらの記録ヘッドが主走査方向に並べて配備されることになる。
【００６４】
図１０（ａ）の往路記録時には、記録用紙上の同じ記録領域に対して、ブラック，シアン，マゼンタ，イエローの順にインクが付与されることになる。一方、図１０（ｂ）の復路記録時は、記録用紙上の記録領域に対して、イエロー，マゼンタ，シアン，ブラックの順にインクが付与されることになる。
【００６５】
一般に、浸透性が比較的高いイエロー，マゼンタ，およびシアンなどのカラーインクと、浸透性が比較的低いブラックインクと、のインクセットを使用する記録装置においては、カラーインクとブラックインクとを重ねて付与する場合に、カラーインクを先に付与し、その上からブラックインクを付与した方がスミア防止の効果が増す。そこで、本実施形態においては、ブラックドットとカラードットとを重ねて形成する場合には、記録方向を図１０（ｂ）のような復路方向に設定して、ブラックインクよりも先にカラーインクを付与する。
【００６６】
図１１は、このような記録方向の決定処理を説明するためのフローチャートである。
まず、１スキャン（記録走査）分のＢｋデータＤ１０００に対して、前述したブラック高デューティマトリクス検出処理Ｅ１０００を行う（ステップＳ４０１）。続いて、１スキャン分のブラック高デューティマトリクス情報Ｄ１００１内に、ビット＝１が存在するか否かを判定する（ステップＳ４０２）。図１０（ｂ）のようにビット＝１の情報がある場合には、記録方向を復路方向に設定して、その１スキャン分の記録データを図１０（ｂ）のように往路記録する（ステップＳ４０３）。一方、図１０（ａ）のようにビット＝１の情報がない場合には、予め決められた記録方向で記録する（ステップＳ４０４）。ここで、予め決められた記録方向での記録とは、往路記録と復路記録を交互に繰り返す双方向記録方式、または往路記録のみを繰り返す片方向記録方式における往路記録であっても復路記録であってもよい。
【００６７】
本例においては、１スキャン分のブラック高デューティマトリクス情報Ｄ１００１内におけるビット＝１の情報の有無に応じて記録方向を規定したが、ビット＝１が所定の数以上存在する場合に記録方向を規定するようにしてもよい。このような記録方向を規定する条件は、インクシステムや記録装置の特性に合わせて最適にすることができる。
【００６８】
本実施形態によれば、１スキャンの記録データの中に比較的高デューティのブラックデータが含まれている場合に、同じ記録領域に対してカラーインクを先に付与してからブラックインクを付与させるように記録方向を規定するため、スミア防止の効果を向上させることができる。
【００６９】
［その他の実施形態］
第３の実施形態においては、スミア防止用のブラック高デューティマトリクス情報Ｄ１００１に基づいて記録方向を規定したが、同様にして、カラードット隣接マトリクス情報Ｄ１００９に基づいて記録方向を規定することにより、境界ブリーディングの防止効果を向上させることもできる。
【００７０】
また本発明は、上述したようにシリアルスキャンタイプの記録装置のみならず、被記録媒体上における記録領域の幅方向の全域に渡って延在する記録ヘッドを用いたフルラインタイプの記録ヘッドなどに対しても適用することができる。
【００７１】
また、カラーインクの種類は特定されるものではなく、イエロー、マゼンタ、シアンのインクの他、種々のインクを含むことができる。また、上述したように、ブラックインクとして浸透性が比較的低いインクを用い、またカラーインクとして浸透性が比較的高いインクを用いることができる。また、カラーインクの少なくとも１つは、ブラックインクと反応して凝集する反応系インクであってもよい。その場合には、その反応系インクをシアンインクとしてもよい。
【図面の簡単な説明】
【００７２】
【図１】本発明の第１の実施形態におけるデータ処理の流れを説明するためのブロック図である。
【図２】図１におけるブラック高デューティマトリクス検出処理を説明するためのフローチャートである。
【図３】（ａ）は、図２のブラック高デューティマトリクス検出処理における着目マトリクスの説明図、（ｂ）は、マトリクス内におけるブラックドット数のカウント値の説明図、（ｃ）は、ブラック高デューティマトリクス検出情報の説明図である。
【図４】図１におけるカラードット隣接マトリクス検出処理を説明するためのフローチャートである。
【図５】（ａ）は、図４のカラー隣接マトリクス検出処理における着目マトリクスと隣接マトリクスの説明図、（ｂ）は、マトリクス内におけるカラードット数のカウント値の説明図、（ｃ）は、カラー隣接マトリクス情報の説明図である。
【図６】（ａ）は、図１におけるスミア防止用のカラードット付与データ生成処理の説明図であり、（ｂ），（ｃ）および（ｄ）は、（ａ）におけるＣマスク１，Ｍマスク１，およびＹマスク１の説明図である。
【図７】（ａ）は、図１における境界ブリーディング防止用のカラードット付与データ生成処理の説明図であり、（ｂ），（ｃ）および（ｄ）は、（ａ）におけるＣマスク２，Ｍマスク２，およびＹマスク２の説明図である。
【図８】図１における記録用Ｃ，Ｍ，Ｙデータ生成処理を説明するためのフローチャートである。
【図９】（ａ）は、本発明の第２の実施形態におけるブラックデータの間引き処理の説明図、（ｂ）は、（ａ）におけるＢｋ間引きマスクの説明図である。
【図１０】（ａ）は、本発明の第３の実施形態における往路記録動作の説明図、（ｂ）は、本発明の第３の実施形態における復路記録動作の説明図である。
【図１１】本発明の第３の実施形態における記録方向決定処理を説明するためのフローチャートである。
【図１２】本発明の第１の実施形態における記録装置の概略斜視図である。
【図１３】図１２における記録ヘッドの要部の斜視図である。
【図１４】図１２の記録装置における制御系のブロック構成図である。
【符号の説明】
【００７３】
１０６    キャリッジ
１０７    記録用紙（被記録媒体）
２０１    記録ヘッド
５００    記録制御部
Ｄ１０００    オリジナルＢｋデータ
Ｄ１００１    ブラック高デューティマトリクス情報
Ｄ１００９    カラー隣接マトリクス情報
Ｄ１００５    オリジナルＣデータ
Ｄ１００６    オリジナルＭデータ
Ｄ１００７    オリジナルＹデータ
Ｄ１０１３    記録用Ｃデータ
Ｄ１０１４    記録用Ｍデータ
Ｄ１０１５    記録用Ｙデータ
Ｄ１０１６    記録用Ｂｋデータ
Ｅ１０００    ブラック高デューティ検出処理
Ｅ１００４    カラー隣接マトリクス検出処理
Ｅ１    スミア防止用のカラードット付与データ生成処理
Ｅ２    境界ブリーディング防止用のカラードット付与データ生成処理
Ｅ３    記録用Ｃ，Ｍ，Ｙデータ生成処理
【図１】
2005169753.tif 000003
【図２】
2005169753.tif 000004
【図３】
2005169753.tif 000005
【図４】
2005169753.tif 000006
【図５】
2005169753.tif 000007
【図６】
2005169753.tif 000008
【図７】
2005169753.tif 000009
【図８】
2005169753.tif 000010
【図９】
2005169753.tif 000011
【図１０】
2005169753.tif 000012
【図１１】
2005169753.tif 000013
【図１２】
2005169753.tif 000014
【図１３】
2005169753.tif 000015
【図１４】
2005169753.tif 000016